(57)【要約】【課題】  ブラシの洗浄等を始めとして塗布具を容器本体から取り外して取り扱う際に、安全性を高めると共にパイプを保護する。【解決手段】  塗布具１が容器本体２に装着されている状態では、ブラシ５の後端から途中迄進入しているパイプ６のその後端を、容器本体２の内容物を吐出する吐出口２ｄに連通し、容器本体２から吐出される内容物をパイプ６を通してブラシ５に吐出可能として塗布可能とし、この状態では、パイプ６を保持するパイプホルダ７を後方側へ付勢している付勢手段８に付勢力を蓄えさせ、一方、例えばブラシ５の洗浄等の目的で、塗布具１が容器本体２から取り外されると、蓄えた付勢手段８の付勢力により、パイプホルダ７を所定位置迄後退させ、パイプホルダ７に保持されブラシ５に進入しているパイプ６を所定位置迄後退させ、パイプ６の先端と手等との接触を回避可能とする。【選択図】  図２
2005103014.tif 000002
【特許請求の範囲】
【請求項１】
ブラシと、
内容物を内部に収容し当該内容物を吐出可能に構成される容器本体に対して着脱可能とされると共に、筒状を成しその先端から前記ブラシの先端部が突出した状態で当該ブラシの後部側を筒内に保持するホルダと、
前記内容物が通過可能とされ、前記ブラシの後端から途中迄進入するパイプと、
前記ホルダ内に摺動可能に収容されると共に、前記パイプの前記ブラシに対する進入部分より後部側を保持するパイプホルダと、
前記パイプホルダを後方側へ付勢する付勢手段と、を具備し、
前記ホルダが前記容器本体に装着されると、前記パイプの後端が前記容器本体の前記内容物を吐出する吐出口に連通すると共に前記付勢手段が付勢力を蓄え、
前記ホルダが前記容器本体から取り外されると、前記付勢手段の付勢力により、前記パイプホルダが、所定位置迄後退することを特徴とする塗布具。
【請求項２】
前記ホルダは、その先端部分が、これを除く本体部分に対して着脱自在に構成されていることを特徴とする請求項１記載の塗布具。
【請求項３】
前記ホルダが前記容器本体から取り外された状態では、前記パイプの先端は、前記ホルダの前記本体部分の先端と略同じ位置又は前記本体部分の先端より後方側の位置に後退していることを特徴とする請求項２記載の塗布具。
【請求項４】
前記内容物は、圧縮ガス又は液化ガスであり、
前記ガスは、前記パイプを通して前記ブラシに吐出され、このブラシの先端部に染み込ませた液状化粧料が前記ガスに伴って噴霧されることを特徴とする請求項３記載の塗布具。
【発明の詳細な説明】
【技術分野】
【０００１】
本発明は、塗布具に関する。
【背景技術】
【０００２】
従来、塗布用のブラシを備える液状化粧料の容器として、筒状を成す容器の先端からブラシの先端部が突出するように当該ブラシを容器内に保持し、押し出されてくる液状化粧料を、ブラシの後端から途中迄進入しているパイプ内を通して、ブラシの先端部に吐出し塗布可能とするものが知られている。
【０００３】
この容器にあっては、ブラシ先端部で化粧料が固化することがあるため、ブラシの洗浄の要望があるが、ブラシが容器に保持されているため、当該ブラシの洗浄がし難い。
【０００４】
そこで、筒状を成すホルダとしての筆部保持部材の先端から毛筆状塗布部（ブラシ）の先端部が突出するように当該毛筆状塗布部を筆部保持部材内の固定ブロックに固定すると共に、ブラシの後端から途中迄進入しているパイプを筆部保持部材内の固定ブロックに固定し、さらに、この固定ブロックを筆部保持部材に固定すると共に、この筆部保持部材を、容器本体に固定されている筆部取付部材に脱着自在に取り付ける構成を具備し、筆部保持部材を、毛筆状塗布部、パイプ及び固定ブロックと共に、容器本体側の筆部取付部材から取り外すことで、例えば洗浄等を容易とするものが開示されている（例えば、特許文献１参照）。
【特許文献１】特開平９−１７３１３９号公報
【発明の開示】
【発明が解決しようとする課題】
【０００５】
しかしながら、上記容器にあっては、毛筆状塗布部に埋没しているパイプの先端が、筆部保持部材の先端から突出していると、例えば毛筆状塗布部の洗浄等を始めとして筆部保持部材を容器本体側から取り外して取り扱う際に、当該パイプにより手等を怪我する虞があると共に、パイプが折れ曲がる虞があり、これらの虞は、パイプの突出の度合いが高いほど高まる。
【０００６】
本発明は、このような課題を解決するために成されたものであり、ブラシの洗浄等を始めとしてホルダ（塗布具）を容器本体側から取り外して取り扱う際に、安全性が高められると共にパイプが保護される塗布具を提供することを目的とする。
【課題を解決するための手段】
【０００７】
本発明による塗布具は、内容物を内部に収容し当該内容物を吐出可能に構成される容器本体に対して着脱可能とされると共に、筒状を成しその先端からブラシの先端部が突出した状態で当該ブラシの後部側を筒内に保持するホルダと、内容物が通過可能とされ、ブラシの後端から途中迄進入するパイプと、ホルダ内に摺動可能に収容されると共に、パイプのブラシに対する進入部分より後部側を保持するパイプホルダと、パイプホルダを後方側へ付勢する付勢手段と、を具備し、ホルダが容器本体に装着されると、パイプの後端が容器本体の内容物を吐出する吐出口に連通すると共に付勢手段が付勢力を蓄え、ホルダが容器本体から取り外されると、付勢手段の付勢力により、パイプホルダが、所定位置迄後退することを特徴としている。
【０００８】
このような塗布具によれば、塗布具が容器本体に装着されている状態では、ブラシの後端から途中迄進入しているパイプのその後端が、容器本体の内容物を吐出する吐出口に連通するため、容器本体から吐出される内容物が当該パイプを通してブラシに吐出されて塗布が可能とされ、この状態にあっては、パイプを保持するパイプホルダを後方側へ付勢している付勢手段が、付勢力を蓄える状態とされる。一方、例えばブラシの洗浄等の目的で、塗布具が容器本体から取り外されると、蓄えられた付勢手段の付勢力により、パイプホルダが所定位置迄後退されるため、パイプホルダに保持されブラシに進入しているパイプも所定位置迄後退され、パイプの先端と手等との接触を回避することが可能とされる。
【０００９】
ここで、ホルダは、その先端部分が、これを除く本体部分に対して着脱自在に構成されていると、このホルダの先端部分に覆われているブラシ部分が露出し、このブラシの露出部分を洗浄することが可能とされると共にその洗浄が容易とされる。特に、ホルダの先端部分に覆われている部分に化粧料が固化してしまうような使用や化粧料の場合には、特に有効とされる。
【００１０】
また、ホルダが容器本体から取り外された状態では、パイプの先端が、ホルダの本体部分の先端と略同じ位置又は本体部分の先端より後方側の位置に後退していると、パイプの先端がホルダの本体部分内に没し、パイプの先端と手等との接触が完全に回避される。
【００１１】
また、内容物は、圧縮ガス又は液化ガスであり、ガスは、パイプを通してブラシに吐出され、このブラシの先端部に染み込ませた液状化粧料がガスに伴って噴霧される構成であると、綺麗なグラデーション等の絵柄が描かれると共に、ホルダの先端部分に覆われたブラシ部分に染み込み固化した化粧料が、ホルダが容器本体から取り外され当該ホルダの先端部分がホルダの本体部分から取り外されることで、確実且つ容易に洗浄可能とされ、この洗浄の際に、パイプの先端がホルダの本体部分に没しているため、パイプの先端と手等との接触が完全に回避される。
【発明の効果】
【００１２】
このように本発明による塗布具によれば、ブラシの洗浄等を始めとしてホルダを容器本体から取り外して取り扱う際に、安全性を高めることが可能となると共にパイプを保護することが可能となる。
【発明を実施するための最良の形態】
【００１３】
以下、本発明による塗布具の好適な実施形態について図１〜図８を参照しながら説明する。
【００１４】
図１〜図８は、本発明の実施形態に係る塗布具を示す各図であって、図１は、塗布具を備えたマニキュア化粧料噴霧容器を示す斜視図、図２〜図８は、塗布具を詳細に示す各図であり、図１に示すように、本実施形態の塗布具１は、容器本体としてのマニキュア化粧料噴霧容器２に適用されているもので、爪に液状のマニキュア化粧料を塗布するためのものである。
【００１５】
マニキュア化粧料噴霧容器２は、所謂エアゾール容器であり、有底筒状の収容部２ａの上部開口にバルブ（不図示）が装着されているもので、収容部２ａ内に例えば窒素ガス等の圧縮ガスや例えばジメチルエーテル等の液化ガスが内容物として充填され、バルブに連結される上部の押ボタン２ｂが押圧されることでバルブが開とされ、収容部２ａ内のガスが、バルブを介し、図２及び図４に示すように、連通孔２ｃを通して、吐出口２ｄから噴射されるように構成されている。この吐出口２ｄは、押ボタン２ｂの周面の所定位置に開口されている。
【００１６】
また、噴霧容器２には、押ボタン２ｂの吐出口２ｄを囲繞するように環状溝部２ｆが凹設されると共に、この環状溝部２ｆにより囲まれる突部２ｇが形成され、この環状溝部２ｆの外周面に、塗布具１を着脱可能に装着するための雌螺子部２ｅが形成されている。
【００１７】
噴霧容器２に着脱可能に装着されている塗布具１は、図３に示すように、全体形状が短尺の筆記具の如き丸棒状を成し良好な外観を呈するもので、図１及び図２に示すように、その露出部がキャップ３により覆われ保護されている。このキャップ３は着脱可能とされ、塗布具１の使用時には、図３に示すように取り外される。
【００１８】
この塗布具１は、図２及び図４〜図６に示すように、円筒状のホルダ４と、このホルダ４の先端から突出するブラシ５と、このブラシ５に進入するパイプ６と、ホルダ４内に収容されパイプ６を保持するパイプホルダ７と、このパイプホルダ７を後方側へ付勢する付勢手段としての圧縮バネ８と、を備えている。
【００１９】
円筒状に構成されるホルダ４は、先端部分４ａと、これを除く本体部分４ｂと、に分割されている。先端部分４ａは、図２に示すように、その先端側の前半部４ｃが先細りの中空円錐台状とされ、これに続く後半部４ｄが円筒状とされ、この後半部４ｄの内周面に、本体部分４ｂに着脱可能に装着するための雌螺子部４ｅを備えている。
【００２０】
本体部分４ｂは、その先端部４ｆが小径の円筒状とされて先端部分４ａの後半部４ｄに内挿され、この先端部４ｆに段差面を介して続く大半部４ｇが、先端部４ｆより内、外周面が各々大径とされる円筒状とされている。本体部分４ｂの先端部４ｆは、その内径が、先端部分４ａの前半部４ｃの内径と略同一とされ、その外周面に雄螺子部４ｈを備え、この雄螺子部４ｈに先端部分４ａの後半部４ｄの雌螺子部４ｅが螺合することで、本体部分４ｂに先端部分４ａが着脱可能に装着されている。
【００２１】
この本体部分４ｂの大半部４ｇは、その後端部の外周面に雄螺子部４ｉを備え、図２及び図４に示すように、この雄螺子部４ｉが押ボタン２ｂの環状溝部２ｆに進入し雌螺子部２ｅに螺合することで、塗布具１（ホルダ４）が噴霧容器２に着脱可能に装着されている。
【００２２】
また、本体部分４ｂの大半部４ｇは、その外周面の押ボタン２ｂ寄りの位置に環状突部４ｊを備え、上記キャップ３が、この環状突部４ｊに突き当てられた状態で、図１及び図２に示すように、ホルダ４に着脱可能に装着されている。
【００２３】
また、本体部分４ｂの大半部４ｇは、図２に示すように、その内周面の軸線方向中程の位置に、パイプホルダ７の前進限及び後退限として機能する環状突部４ｋを備えている。
【００２４】
ブラシ５は、ブラシの各々の後端部を束ねて溶着し纏めたもので、その先端部がホルダ４の先端から突出し、この先端部より後側の部分がホルダ４に内挿され、その束ねた後端部５ａが、ホルダ４の本体部分４ｂの先端部４ｆと大半部４ｇとの間の内周段差面４ｌに突き当てられた状態で、本体部分４ｂに固着されている。
【００２５】
パイプ６は、例えばステンレス等で構成され、噴霧容器２の内容物が通過可能とされる円筒状の管であり、ブラシ５の後端から途中迄進入するように配置されている。このパイプ６は、ブラシ５に対する進入部分より後部側が、後方側へ延在している。
【００２６】
パイプホルダ７は、円筒状を成し、ホルダ４の本体部分４ｂの大半部４ｇに摺動可能に内挿されている。このパイプホルダ７の内周面は、その先端側の前半部が大径孔７ａに構成され、これに続く後半部が小径孔７ｂに構成され、この大径孔７ａをパイプ６が通り、小径孔７ｂにパイプ６の後端部が圧入されて保持されている。
【００２７】
このパイプホルダ７の外周面には、その先端側に、ホルダ４の環状突部４ｋに当接することでパイプホルダ７の後端限として機能する環状突部７ｃが形成されていると共に、その後端側に、ホルダ４の環状突部４ｋに当接することでパイプホルダ７の前進限として機能する環状突部７ｄが形成されている。
【００２８】
このパイプホルダ７は、その先端側がホルダ４の後側から内挿され、パイプホルダ７の環状突部７ｃが、ホルダ４の環状突部４ｋを乗り越えるように押し込まれることで、ホルダ４内に収容されている。
【００２９】
また、このパイプホルダ７を後方側へ付勢する圧縮バネ８は、パイプホルダ７の大径孔７ａに内挿されるようにして、ブラシ５の後端面との間に配設されている。
【００３０】
そして、この状態、すなわち塗布具１が噴霧容器２に装着されている図２〜図４に示す状態にあっては、パイプホルダ７の後端面が、押ボタン２ｂの吐出口２ｄを含む突部２ｇに押圧されて、パイプホルダ７は、その環状突部７ｄがホルダ４の環状突部４ｋに突き当たる前進限まで前進すると共に、パイプ６の後端が、押ボタン２ｂの吐出口２ｄに連通する状態とされている。この状態では、圧縮バネ８は、ブラシ５の後端面とパイプホルダ７との間で圧縮され付勢力が蓄えられ、パイプ６の先端は、ホルダ４の先端と略同じ位置にある。
【００３１】
一方、この塗布具１を噴霧容器２から取り外す場合には、塗布具１を回転し、塗布具１の雄螺子部４ｉと噴霧容器２の雌螺子部２ｅとの螺合を解除すれば良い。
【００３２】
このようにして塗布具１が噴霧容器２から取り外されると、図５に示すように、圧縮されていた圧縮バネ８が解放され、この圧縮バネ８の付勢力により、パイプホルダ７が後方側へ摺動し、図５及び図８に示すように、その環状突部７ｃがホルダ４の本体部分４ｂの環状突部４ｋに突き当たる後退限（所定位置）まで後退する。この状態では、パイプホルダ７の後端面はホルダ４の後端面から後方へ突出することはなく、また、パイプ６の先端は、ホルダ４の本体部分４ｂの先端と略同じ位置又は本体部分４ｂの先端より後方側の位置に後退している。
【００３３】
次に、このような塗布具１を備えるマニキュア化粧料噴霧容器２の使用ついて以下に説明する。先ず、爪にグラデーション等の絵柄を描く場合について述べる。
【００３４】
この場合には、塗布具１を、図３に示すように、噴霧容器２に螺子込み装着した状態で、マニキュア化粧料が入っているボトル容器（不図示）にブラシ５の先端部を浸け、当該マニキュア化粧料をブラシ５の先端部に染み込ませる。この時、パイプ６の後端は吐出口２ｄと連通状態にある。
【００３５】
そして、ブラシ５の先端を爪の近くまで持っていき、噴霧容器２の押ボタン２ｂを押す。すると、噴霧容器２内のガスが、連通孔２ｃ、吐出口２ｄ、パイプ６を通して噴射され、ブラシ５の先端部に染み込んでいるマニキュア化粧料が、噴射されるガスに随伴されて爪に噴霧されて塗布され、グラデーション等の絵柄を描くことができる。
【００３６】
ここで、ブラシ５の先端部に染み込ませたマニキュア化粧料は、ブラシ５の先端部からブラシ５の後端部側へと染み込んでいき、パイプ６の先端から前方側のブラシ部分に染み込んだマニキュア化粧料は、パイプ６の先端から噴射されるガスに押し出されて噴霧され、パイプ６の先端から後方側のブラシ部分に染み込んだマニキュア化粧料は、パイプ６の先端から噴射されるガスに引き出されるようにして（引っ張られて）噴霧される。
【００３７】
このような噴霧の形態にあって、パイプ６の先端が、ホルダ４の先端と略同じ位置にあるため、パイプ６の先端が他の位置にある場合に比して、噴霧される霧の粒子が細かく綺麗な噴霧とされ、綺麗なグラデーション等の絵柄が描かれる。
【００３８】
なお、マニキュア化粧料は、本実施形態のように圧縮ガスや液化ガスによる噴射に随伴される場合で爪にグラデーション等の絵柄を描く場合には、水溶性が特に好ましいが、例えば酢酸ブチル等の溶剤系であっても良い。また、塗布具１によるマニキュア化粧料の他の塗布の形態として、ブラシ５により直接爪に絵柄を描くことも可能である。この場合には、塗布具１を噴霧容器２から取り外した状態で、ブラシ５の先端部にマニキュア化粧料を染み込ませ爪にブラシ５で直接絵柄を描けば良い。
【００３９】
ところで、前述のように、噴霧容器２のガス噴霧によりマニキュア化粧料を塗布する場合にあっては、塗布後に放置しておくと、ブラシ５に染み込んで残るマニキュア化粧料が固化し、綺麗な絵柄が描けなくなる。そこで、ブラシ５の洗浄が必要となるが、本実施形態のような使用の形態にあっては、ホルダ４の先端から突出しているブラシ５の先端部のみを洗浄しただけでは、ホルダ４の先端部分４ａ（詳しくは先端部分４ａの前半部４ｃ）に覆われているブラシ部分に染み込み固化したマニキュア化粧料が洗浄できずに残り、このホルダ４の先端部分４ａに覆われているブラシ部分に固着したマニキュア化粧料により、ブラシ５のマニキュア化粧料の含み量が少なくなり、綺麗な絵柄を描けなくなる。このため、当該部分も洗浄することが必要となる。以下に、本実施形態のブラシ５の洗浄について述べる。
【００４０】
先ず、図５に示すように、塗布具１を噴霧容器２から取り外し、次いで、図７に示すように、ホルダ４の先端部分４ａと本体部分４ｂとを相対回転することで、先端部分４ａの雌螺子部４ｅと本体部分４ｂの雄螺子部４ｈとの螺合を解除し、先端部分４ａを本体部分４ｂから取り外す。
【００４１】
この状態にあっては、図７及び図８に示すように、先端部分４ａにより覆われていたブラシ部分が露出する。従って、この露出するブラシ部分に染み込み固化したマニキュア化粧料が、確実且つ容易に洗浄される。また、洗浄水流や水流に対する角度を調整することで、ブラシ５の付け根の方も容易に洗浄することができる。
【００４２】
また、この洗浄にあっては、前述したように、本体部分４が噴霧容器２から取り外され、図８に示すように、パイプ６の先端が、ホルダ４の本体部分４ｂの先端と略同じ位置又は本体部分４ｂの先端より後方側の位置に後退しているため、パイプ６の先端と手等との接触が回避され、安全性が高められていると共に洗浄時の外力からパイプ６が保護されている。
【００４３】
そして、洗浄が終わったら、ホルダ４の先端部分４ａと本体部分４ｂとを相対回転することで、先端部分４ａの雌螺子部４ｅと本体部分４ｂの雄螺子部４ｈとを螺合し、先端部分４ａを本体部分４ｂに装着すれば良い。
【００４４】
以上、本発明をその実施形態に基づき具体的に説明したが、本発明は上記実施形態に限定されるものではなく、例えば、上記実施形態においては、ホルダ４の先端部分４ａと本体部分４ｂとの着脱可能な係合、ホルダ４と噴霧容器２との着脱可能な係合を、螺合としているが、例えば凹凸等の係合部によるものであっても良い。
【００４５】
また、上記実施形態においては、噴霧容器２に塗布具１を着脱可能に装着し、噴霧容器２から圧縮ガスや液化ガスを吐出することで、塗布具１を構成するブラシ５のその先端部に染み込ませたマニキュア化粧料を、噴射されるガスと共に噴霧するマニキュア化粧料噴霧容器２に対する適用を述べているが、噴霧容器２内にマニキュア化粧料を充填し、噴霧容器２からマニキュア化粧料を噴射するマニキュア化粧料噴霧容器に対しても適用可能である。また、特に好適であるとして、塗布物をマニキュア化粧料としているが、マニキュア化粧料に限定されるものではなく、塗布物を他の液状化粧料とすることも可能であり、この液状化粧料を噴霧容器から噴射する場合にも適用可能である。
【００４６】
また、上記実施形態では、特に好適であるとして、ブラシ５及びパイプ６を有し、容器本体としての噴霧容器２からの噴射により噴霧容器２内の内容物をブラシ５を通して噴霧する塗布具１であって、特に、ホルダ４により覆われているブラシ部分に当該内容物が固化しやすい塗布具１について述べているが、本発明の塗布具１は、例えば、特開２０００−２６２３２４号公報に記載されているような液状化粧料押出容器に対して適用することも可能である。具体的には、液状化粧料が充填される充填領域を内部に備える本体筒と、この本体筒の後端部に相対回転自在に設けられる操作筒とを使用者が相対回転すると、筒内に構成される押出機構としての螺合機構及び回り止め機構並びに一方向の回転を許容するラチェット機構に従って、充填領域に配設されるピストンが本体筒の先端に向かって順次繰り出され、充填領域の液状化粧料を先端に向かって順次押し出す容器本体のその先端部に対して適用（着脱可能に装着）することも可能である。また、塗布具１は、筒状の容器本体の後端にノック可能に設けられるノック部のノックにより、液状化粧料を押し出し吐出していく液状化粧料押出容器等に対しても適用が可能であり、さらには、種々の内容物、種々の容器本体に対して適用することが可能である。
【図面の簡単な説明】
【００４７】
【図１】本発明の実施形態に係る塗布具を備えたマニキュア化粧料噴霧容器を示す斜視図である。
【図２】図１中の塗布具及びこれを装着した噴霧容器の押ボタンを抽出して示す縦断面図である。
【図３】図２に示す塗布具及び押ボタンの斜視図であり、塗布具のブラシキャップを外した状態を示す斜視図である。
【図４】図３の破断斜視図である。
【図５】図４の噴霧容器の押ボタンから取り外された塗布具を示す破断斜視図である。
【図６】図５に示す塗布具の分解斜視図である。
【図７】図５の塗布具からホルダの先端部分を取り外した状態を示す斜視図である。
【図８】図７に示す塗布具の縦断面図である。
【符号の説明】
【００４８】
１…塗布具、２…マニキュア化粧料噴霧容器（容器本体）、２ｄ…吐出口、４…ホルダ、４ａ…ホルダの先端部分、４ｂ…ホルダの本体部分、５…ブラシ、６…パイプ、７…パイプホルダ、８…圧縮バネ（付勢手段）。
【図１】
2005103014.tif 000003
【図２】
2005103014.tif 000004
【図３】
2005103014.tif 000005
【図４】
2005103014.tif 000006
【図５】
2005103014.tif 000007
【図６】
2005103014.tif 000008
【図７】
2005103014.tif 000009
【図８】
2005103014.tif 000010